(57)【要約】      （修正有）【課題】レンズを保持するレンズ鏡筒と、レンズ鏡筒の端部に着脱可能に取り付けられるアタッチメントとを備えるレンズユニットにおいて、レンズ鏡筒にアタッチメントを容易に着脱することが可能なレンズユニットを提供する。【解決手段】レンズユニットは、レンズ２を保持するレンズ鏡筒６と、レンズ鏡筒６の端部に着脱可能に取り付けられるアタッチメント７とを備えている。レンズ鏡筒６は、レンズ鏡筒６の端部にアタッチメント７を取り付けるための磁石１１を備え、アタッチメント７は、磁石１１に吸引される磁石１６を備えている。レンズ鏡筒６には、レンズ２の光軸方向に直交する方向でレンズ鏡筒６に対してアタッチメント７を位置決めするための当接面１２ｂが形成され、当接面１２ｂは、レンズ２の光軸方向に対して傾斜する傾斜面となっている。アタッチメント７には、当接面１２ｂに接触する当接面１５ｂが形成されている。【選択図】図３
2019105704.tif 000002
【特許請求の範囲】
【請求項１】
レンズを保持するレンズ鏡筒と、前記レンズの光軸方向における前記レンズ鏡筒の端部に着脱可能に取り付けられるアタッチメントとを備え、
前記レンズ鏡筒および前記アタッチメントのいずれか一方は、前記レンズ鏡筒の端部に前記アタッチメントを取り付けるための永久磁石である第１磁石を備え、
前記レンズ鏡筒および前記アタッチメントのいずれか他方は、前記第１磁石に吸引される永久磁石である第２磁石または前記第１磁石に吸引される軟磁性体を備え、
前記レンズ鏡筒および前記アタッチメントのいずれか一方には、前記レンズの光軸方向に直交する方向で前記レンズ鏡筒に対して前記アタッチメントを位置決めするための第１当接部が形成され、
前記第１当接部は、前記レンズの光軸方向に対して傾斜する傾斜面となっており、
前記レンズ鏡筒および前記アタッチメントのいずれか他方には、前記第１当接部に接触する第２当接部が形成されていることを特徴とするレンズユニット。
【請求項２】
前記アタッチメントは、光学フィルタを有するフィルタ部品、前記レンズ鏡筒内での光の反射を抑制するためのフレアカッター、光量を調整するための絞り機構、付加レンズを有するレンズ部品またはレンズキャップであることを特徴とする請求項１記載のレンズユニット。
【請求項３】
前記第２当接部は、前記レンズの光軸方向に対して傾斜するとともに前記第１当接部に接触する傾斜面であることを特徴とする請求項１または２記載のレンズユニット。
【請求項４】
前記レンズ鏡筒および前記アタッチメントのいずれか一方は、前記レンズの光軸方向から見たときに、前記レンズの光軸を中心とする円環状に配置される複数の前記第１磁石を備え、
前記レンズ鏡筒および前記アタッチメントのいずれか他方は、前記レンズの光軸方向から見たときに、前記レンズの光軸を中心とする円環状に配置される前記第１磁石と同数の前記第２磁石または前記軟磁性体を備えることを特徴とする請求項１から３のいずれかに記載のレンズユニット。
【請求項５】
複数の前記第１磁石は、前記レンズの光軸方向から見たときに、前記レンズの光軸を中心にして等角度ピッチで配置され、
複数の前記第２磁石または前記軟磁性体は、前記レンズの光軸方向から見たときに、前記レンズの光軸を中心にして等角度ピッチで配置されていることを特徴とする請求項４記載のレンズユニット。
【請求項６】
前記レンズの光軸方向から見たときの前記第１当接部の形状は、前記レンズの光軸を曲率中心とする円環状または円弧状となっていることを特徴とする請求項４または５記載のレンズユニット。
【請求項７】
前記レンズの光軸方向から見たときの前記第１当接部の形状は、前記レンズの光軸を曲率中心とする円環状となっていることを特徴とする請求項６記載のレンズユニット。
【請求項８】
前記レンズ鏡筒および前記アタッチメントのいずれか一方には、前記レンズの光軸回りの方向で前記レンズ鏡筒に対して前記アタッチメントを位置決めするための第１位置決め部が形成され、
前記レンズ鏡筒および前記アタッチメントのいずれか他方には、前記第１位置決め部とともに前記レンズの光軸回りの方向で前記レンズ鏡筒に対して前記アタッチメントを位置決めするための第２位置決め部が形成されていることを特徴とする請求項４から７のいずれかに記載のレンズユニット。
【請求項９】
前記第１位置決め部は、凹部であり、
前記第２位置決め部は、前記凹部に嵌る凸部であり、
前記凸部は、前記レンズの光軸方向に突出していることを特徴とする請求項８記載のレンズユニット。
【請求項１０】
前記レンズの光軸方向から見たときの前記凹部の形状は、前記レンズの光軸を曲率中心とする円弧状となっており、
前記レンズの光軸方向から見たときに、円弧状に形成される前記凹部の前記レンズの光軸に対する中心角は、前記レンズの光軸に対する複数の前記第１磁石の配置ピッチの角度よりも小さくなっていることを特徴とする請求項９記載のレンズユニット。
【請求項１１】
前記レンズ鏡筒および前記アタッチメントのいずれか他方は、前記第２磁石を備えることを特徴とする請求項１から１０のいずれかに記載のレンズユニット。
【請求項１２】
前記アタッチメントは、前記第１磁石を備え、
前記レンズ鏡筒は、前記軟磁性体を備えることを特徴とする請求項１から１０のいずれかに記載のレンズユニット。
【請求項１３】
前記アタッチメントは、前記レンズ鏡筒の反被写体側の端部に着脱可能に取り付けられていることを特徴とする請求項１から１２のいずれかに記載のレンズユニット。
【発明の詳細な説明】
【技術分野】
【０００１】
本発明は、レンズ鏡筒と、レンズ鏡筒に着脱可能に取り付けられるアタッチメントとを備えるレンズユニットに関する。
【背景技術】
【０００２】
従来、後部フィルタ付きの広角レンズが知られている（たとえば、特許文献１参照）。特許文献１に記載の広角レンズの鏡筒は、カメラ本体に装着するためのマウント部材と一体で形成される内側固定筒および外側固定筒と、内側固定筒と外側固定筒との間に回転自在に配置される合焦操作筒とを備えている。内側固定筒の内側には、第１合焦筒が配置されている。第１合焦筒の後部の外面には、後部フィルタを保持する後部フィルタホルダーが回動自在に取り付けられている。後部フィルタホルダーの内面には、円周溝が形成されている。この円周溝には、第１合焦筒に固定される後部フィルタホルダー支持ピンが係合している。後部フィルタホルダーの外面には、直進ガイドピンが固定され、後部フィルタホルダーの後端部には、後部フィルタ押えが形成されている。
【先行技術文献】
【特許文献】
【０００３】
【特許文献１】特許第３７７１５４９号公報
【発明の概要】
【発明が解決しようとする課題】
【０００４】
特許文献１に記載の広角レンズにおいて、後部フィルタを特性の異なる光学フィルタに交換したい場合には、鏡筒から後部フィルタホルダーを取り外す必要がある。そのため、この広角レンズでは、鏡筒に後部フィルタホルダーを容易に着脱できることが好ましい。しかしながら、特許文献１に記載の広角レンズでは、後部フィルタホルダーの内面に形成される円周溝に、第１合焦筒に固定される後部フィルタホルダー支持ピンが係合している。そのため、この広角レンズでは、後部フィルタホルダーを取り外すときに、後部フィルタホルダー支持ピンを円周溝から外さなければならず、また、後部フィルタホルダーを取り付けるときに、後部フィルタホルダー支持ピンを円周溝に係合させなければならない。したがって、特許文献１に記載の広角レンズでは、鏡筒に後部フィルタホルダーを容易に着脱することはできない。
【０００５】
そこで、本発明の課題は、レンズを保持するレンズ鏡筒と、レンズ鏡筒の端部に着脱可能に取り付けられるアタッチメントとを備えるレンズユニットにおいて、レンズ鏡筒にアタッチメントを容易に着脱することが可能なレンズユニットを提供することにある。
【課題を解決するための手段】
【０００６】
上記の課題を解決するため、本発明のレンズユニットは、レンズを保持するレンズ鏡筒と、レンズの光軸方向におけるレンズ鏡筒の端部に着脱可能に取り付けられるアタッチメントとを備え、レンズ鏡筒およびアタッチメントのいずれか一方は、レンズ鏡筒の端部にアタッチメントを取り付けるための永久磁石である第１磁石を備え、レンズ鏡筒およびアタッチメントのいずれか他方は、第１磁石に吸引される永久磁石である第２磁石または第１磁石に吸引される軟磁性体を備え、レンズ鏡筒およびアタッチメントのいずれか一方には、レンズの光軸方向に直交する方向でレンズ鏡筒に対してアタッチメントを位置決めするための第１当接部が形成され、第１当接部は、レンズの光軸方向に対して傾斜する傾斜面となっており、レンズ鏡筒およびアタッチメントのいずれか他方には、第１当接部に接触する第２当接部が形成されていることを特徴とする。
【０００７】
本発明のレンズユニットでは、レンズ鏡筒およびアタッチメントのいずれか一方は、レンズ鏡筒の端部にアタッチメントを取り付けるための第１磁石を備え、レンズ鏡筒およびアタッチメントのいずれか他方は、第１磁石に吸引される第２磁石または軟磁性体を備えている。すなわち、本発明では、磁気的吸引力によってレンズ鏡筒にアタッチメントが取り付けられている。そのため、本発明では、レンズ鏡筒にアタッチメントを容易に着脱することが可能になる。
【０００８】
また、本発明では、レンズ鏡筒およびアタッチメントのいずれか一方に、レンズの光軸方向に直交する方向でレンズ鏡筒に対してアタッチメントを位置決めするための第１当接部が形成され、レンズ鏡筒およびアタッチメントのいずれか他方に、第１当接部に接触する第２当接部が形成されている。そのため、本発明では、磁気的吸引力によってレンズ鏡筒にアタッチメントが取り付けられていても、互いに接触する第１当接部と第２当接部とを用いて、レンズの光軸方向に直交する方向でレンズ鏡筒に対してアタッチメントを精度良く取り付けることが可能になる。
【０００９】
さらに、本発明では、第１当接部がレンズの光軸方向に対して傾斜する傾斜面となっている。そのため、本発明では、たとえば、レンズ鏡筒およびアタッチメントのいずれか一方に、レンズの光軸方向に平行な外周面を有する第１の円筒部が形成され、レンズ鏡筒およびアタッチメントのいずれか他方に、レンズの光軸方向に平行な内周面を有する第２の円筒部が形成されるとともに、第１の円筒部の外周面と第２の円筒部の内周面とによって、レンズの光軸方向に直交する方向でレンズ鏡筒に対してアタッチメントが位置決めされている場合と比較して、レンズ鏡筒にアタッチメントを容易に着脱することが可能になる。
【００１０】
すなわち、第１の円筒部の外周面と第２の円筒部の内周面とによって、レンズの光軸方向に直交する方向でレンズ鏡筒に対してアタッチメントが位置決めされている場合、レンズ鏡筒にアタッチメントを着脱するときに、レンズの光軸方向に対してアタッチメントが傾くと、第１の円筒部の外周面と第２の円筒部の内周面との接触圧が局部的に高くなり、第１の円筒部の外周面と第２の円筒部の内周面とにかじりが生じやすくなる。このようなかじりが生じると、レンズ鏡筒へのアタッチメントの着脱が困難になるため、レンズ鏡筒にアタッチメントを着脱するときに、レンズの光軸方向に対してアタッチメントが傾かないように注意しなければならない。これに対して、本発明では、第１当接部がレンズの光軸方向に対して傾斜する傾斜面となっているため、レンズ鏡筒にアタッチメントを着脱するときに、レンズの光軸方向に対してアタッチメントが傾いても、第１当接部と第２当接部とのかじりの発生を防止することが可能になる。したがって、本発明では、レンズ鏡筒にアタッチメントを着脱するときに、レンズの光軸方向に対してアタッチメントが傾かないように注意する必要がなくなり、その結果、レンズ鏡筒にアタッチメントを容易に着脱することが可能になる。
【００１１】
また、第１の円筒部の外周面と第２の円筒部の内周面とによって、レンズの光軸方向に直交する方向でレンズ鏡筒に対してアタッチメントが位置決めされている場合、アタッチメントをレンズ鏡筒に着脱できるようにするためには、第１の円筒部の外周面と第２の円筒部の内周面との間に僅かなクリアランスを設ける必要がある。第１の円筒部の外周面の外径と第２の円筒部の内周面の内径とを同一とすると、第１の円筒部を第２の円筒部の内周面内に挿入できないためである。しかしながら、第１の円筒部の外周面と第２の円筒部の内周面との間にクリアランスを設けると、クリアランスの分だけ、第１の円筒部と第２の円筒部との中心がずれるおそれがある。これに対して、本発明では、第１当接部が傾斜面となっているため、第２当接部を全体に亘って第１当接部に接触させやすくなる。すなわち、本発明では、第１当接部と第２当接部との間にクリアランス（隙間）がない状態で、アタッチメントをレンズ鏡筒に取り付けることが可能になる。つまり、第２当接部が全体に亘って第１当接部に接触する状態にアタッチメントをレンズ鏡筒に取り付けることが可能になるため、アタッチメントおよびレンズ鏡筒の中心（光軸）を一致させることが可能になる。
【００１２】
本発明において、アタッチメントは、たとえば、光学フィルタを有するフィルタ部品、レンズ鏡筒内での光の反射を抑制するためのフレアカッター、光量を調整するための絞り機構、付加レンズを有するレンズ部品またはレンズキャップである。
【００１３】
本発明において、第２当接部は、レンズの光軸方向に対して傾斜するとともに第１当接部に接触する傾斜面であることが好ましい。このように構成すると、第１当接部と第２当接部との接触面積を広くすることが可能になる。したがって、第１当接部と第２当接部との接触状態を安定させることが可能になる。
【００１４】
本発明において、レンズ鏡筒およびアタッチメントのいずれか一方は、レンズの光軸方向から見たときに、レンズの光軸を中心とする円環状に配置される複数の第１磁石を備え、レンズ鏡筒およびアタッチメントのいずれか他方は、レンズの光軸方向から見たときに、レンズの光軸を中心とする円環状に配置される第１磁石と同数の第２磁石または軟磁性体を備えることが好ましい。このように構成すると、複数の第１磁石と、複数の第２磁石または軟磁性体とを用いて、レンズ鏡筒へのアタッチメントの取付強度を高めることが可能になる。
【００１５】
本発明において、複数の第１磁石は、レンズの光軸方向から見たときに、レンズの光軸を中心にして等角度ピッチで配置され、複数の第２磁石または軟磁性体は、レンズの光軸方向から見たときに、レンズの光軸を中心にして等角度ピッチで配置されていることが好ましい。このように構成すると、レンズの光軸方向から見たときに、複数の第１磁石と、複数の第２磁石または軟磁性体とが等間隔に配置されるため、アタッチメントとレンズ鏡筒との間に発生する磁気吸引力の、レンズの光軸回りの方向におけるばらつきをなくして、アタッチメントとレンズ鏡筒との間に発生する磁気吸引力をレンズの光軸回りの方向で均一にすることが可能になる。したがって、レンズ鏡筒へのアタッチメントの取付強度をより一層高めることが可能になる。
【００１６】
本発明において、レンズの光軸方向から見たときの第１当接部の形状は、レンズの光軸を曲率中心とする円環状または円弧状となっていることが好ましい。このように構成すると、レンズ鏡筒に取り付けられたアタッチメントを第１当接部を利用してレンズの光軸を中心に回動させることで、第１磁石と、第２磁石または軟磁性体との間の光軸方向の重なり度合いを徐々に減少させて、第１磁石と、第２磁石または軟磁性体との間の磁気的吸引力を弱めることが可能になる。したがって、第１磁石と、第２磁石または軟磁性体との間の磁気的吸引力が比較的強くなっていても、レンズ鏡筒からアタッチメントを容易に取り外すことが可能になる。
【００１７】
本発明において、レンズの光軸方向から見たときの第１当接部の形状は、レンズの光軸を曲率中心とする円環状となっていることが好ましい。このように構成すると、第１当接部が円弧状に形成されている場合と比較して、レンズ鏡筒およびアタッチメントのいずれか一方に第１当接部を加工しやすくなる。
【００１８】
本発明において、レンズ鏡筒およびアタッチメントのいずれか一方には、レンズの光軸回りの方向でレンズ鏡筒に対してアタッチメントを位置決めするための第１位置決め部が形成され、レンズ鏡筒およびアタッチメントのいずれか他方には、第１位置決め部とともにレンズの光軸回りの方向でレンズ鏡筒に対してアタッチメントを位置決めするための第２位置決め部が形成されていることが好ましい。このように構成すると、レンズ鏡筒およびアタッチメントのいずれか一方において、レンズの光軸方向から見たときにレンズの光軸を中心とする円環状にかつレンズの光軸を中心にして等角度ピッチで複数の第１磁石が配置され、レンズ鏡筒およびアタッチメントのいずれか他方において、レンズの光軸方向から見たときにレンズの光軸を中心とする円環状にかつレンズの光軸を中心にして等角度ピッチで複数の第２磁石または軟磁性体が配置されていても、第１位置決め部と第２位置決め部とを用いて、レンズ鏡筒に対して正しい位置にアタッチメントを取り付けることが可能になる。
【００１９】
本発明において、第１位置決め部は、凹部であり、第２位置決め部は、凹部に嵌る凸部であり、凸部は、レンズの光軸方向に突出していることが好ましい。このように構成すると、レンズ鏡筒およびアタッチメントのいずれか一方において、レンズの光軸方向から見たときにレンズの光軸を中心とする円環状にかつレンズの光軸を中心にして等角度ピッチで複数の第１磁石が配置され、レンズ鏡筒およびアタッチメントのいずれか他方において、レンズの光軸方向から見たときにレンズの光軸を中心とする円環状にかつレンズの光軸を中心にして等角度ピッチで複数の第２磁石または軟磁性体が配置されていても、凹部と、凹部に嵌る凸部とを用いて、レンズ鏡筒に対して正しい位置のみにアタッチメントを取り付けることが可能になる。
【００２０】
本発明において、レンズの光軸方向から見たときの凹部の形状は、レンズの光軸を曲率中心とする円弧状となっており、レンズの光軸方向から見たときに、円弧状に形成される凹部のレンズの光軸に対する中心角は、レンズの光軸に対する複数の第１磁石の配置ピッチの角度よりも小さくなっていることが好ましい。このように構成すると、凹部と凸部とを用いて、レンズ鏡筒に対して正しい位置のみにアタッチメントを取り付けることが可能になっていても、レンズ鏡筒に取り付けられたアタッチメントをレンズの光軸を中心に回動させて、第１磁石と、第２磁石または軟磁性体との間の磁気的吸引力を弱めることが可能になる。したがって、凹部と凸部とを用いて、レンズ鏡筒に対して正しい位置のみにアタッチメントを取り付けることが可能になっていても、また、第１磁石と、第２磁石または軟磁性体との間の磁気的吸引力が比較的強くなっていても、レンズ鏡筒からアタッチメントを容易に取り外すことが可能になる。
【００２１】
本発明において、レンズ鏡筒およびアタッチメントのいずれか他方は、第２磁石を備えることが好ましい。このように構成すると、第１磁石と第２磁石との間の磁気的吸引力によって、レンズ鏡筒にアタッチメントを取り付けることができるため、第１磁石に吸引される軟磁性体をレンズ鏡筒およびアタッチメントのいずれか他方が備えている場合と比較して、レンズ鏡筒へのアタッチメントの取付強度を高めることが可能になる。
【００２２】
本発明において、アタッチメントは、第１磁石を備え、レンズ鏡筒は、軟磁性体を備えていても良い。レンズ鏡筒が第１磁石または第２磁石を備えている場合、万が一、第１磁石または第２磁石に砂鉄等の粉末状の磁性体が付着すると、最悪、高価なレンズ鏡筒が使用できなくなるおそれがあるが、レンズ鏡筒が軟磁性体を備えている場合には、粉末状の磁性体の付着に起因して、高価なレンズ鏡筒が使用できなくなるといった事態を回避することが可能になる。
【００２３】
本発明において、アタッチメントは、たとえば、レンズ鏡筒の反被写体側の端部に着脱可能に取り付けられている。
【発明の効果】
【００２４】
以上のように、本発明では、レンズを保持するレンズ鏡筒と、レンズ鏡筒の端部に着脱可能に取り付けられるアタッチメントとを備えるレンズユニットにおいて、レンズ鏡筒にアタッチメントを容易に着脱することが可能になる。
【図面の簡単な説明】
【００２５】
【図１】本発明の実施の形態にかかるレンズユニットが使用される撮像装置の概略側面図である。
【図２】図１に示すレンズユニットの分解斜視図である。
【図３】（Ａ）は、図２（Ａ）のＥ部の拡大図であり、（Ｂ）は、図２（Ｂ）のＦ部の拡大図である。
【図４】（Ａ）は、図２に示すレンズ鏡筒の一部およびアタッチメントの断面図であり、（Ｂ）、（Ｃ）は、（Ａ）のＧ部の構成を説明するための拡大断面図である。
【図５】図３に示す第１磁石、第２磁石、凹部および凸部の配置関係を反被写体側から説明するための図である。
【発明を実施するための形態】
【００２６】
以下、図面を参照しながら、本発明の実施の形態を説明する。
【００２７】
（レンズユニットの構成）
図１は、本発明の実施の形態にかかるレンズユニット１が使用される撮像装置３の概略側面図である。図２は、図１に示すレンズユニット１の分解斜視図である。図３（Ａ）は、図２（Ａ）のＥ部の拡大図であり、図３（Ｂ）は、図２（Ｂ）のＦ部の拡大図である。図４（Ａ）は、図２に示すレンズ鏡筒６の一部およびアタッチメント７の断面図であり、図４（Ｂ）、（Ｃ）は、図４（Ａ）のＧ部の構成を説明するための拡大断面図である。図５は、図３に示す磁石１１、１６、凹部１２ｃおよび凸部１５ｄの配置関係を反被写体側から説明するための図である。
【００２８】
本形態のレンズユニット１は、複数のレンズ２を備えており、撮像装置３で使用される。具体的には、レンズユニット１は、撮像装置３のカメラ本体４に着脱可能に取り付けられる交換レンズである。カメラ本体４は、Ｃ−ＭＯＳイメージセンサ等の撮像素子（図示省略）を備えている。レンズユニット１は、たとえば、バヨネット式の接続機構によってカメラ本体４に着脱可能に取り付けられている。また、レンズユニット１は、全体として略円柱状に形成されており、略円柱状に形成されるレンズユニット１の軸心とレンズ２の光軸Ｌとが一致している。
【００２９】
レンズ２の光軸Ｌの方向（光軸方向）の一方側を被写体側とし、被写体側の反対側（光軸方向の他方側）を反被写体側（結像側）とすると、レンズユニット１は、カメラ本体４に対して被写体側に配置され、カメラ本体４は、レンズユニット１に対して反被写体側に配置されている。以下の説明では、被写体側（図１等のＺ１方向側）を「前」側とし、反被写体側（図１等のＺ２方向側）を「後（後ろ）」側とする。また、以下の説明では、レンズ２の径方向（すなわち、光軸Ｌに直交する方向）を「径方向」とし、レンズ２の周方向（円周方向、すなわち、レンズ２の光軸Ｌ回りの方向）を「周方向」とする。
【００３０】
レンズユニット１は、レンズ２を保持するレンズ鏡筒６と、前後方向（光軸方向）におけるレンズ鏡筒６の端部に着脱可能に取り付けられるアタッチメント７とを備えている。本形態のアタッチメント７は、光学フィルタ８を有するフィルタ部品である。また、本形態のアタッチメント７は、レンズ鏡筒６の後端部（すなわち、レンズ鏡筒６の反被写体側の端部）に着脱可能に取り付けられている。
【００３１】
レンズ鏡筒６は、レンズ鏡筒６の後端部を構成する円筒状の円筒部１０と、レンズ鏡筒６の後端部（すなわち、円筒部１０）にアタッチメント７を取り付けるための磁石１１と、磁石１１を保持する磁石保持部材１２とを備えている。磁石１１は、永久磁石である。また、磁石１１は、たとえば、比較的磁力の強い希土類磁石である。具体的には、磁石１１は、ネオジム磁石である。本形態のレンズ鏡筒６は、複数の磁石１１を備えている。具体的には、レンズ鏡筒６は、１２個の磁石１１を備えている。磁石保持部材１２は、１２個の磁石１１を保持している。本形態の磁石１１は、第１磁石である。なお、レンズ鏡筒６が備える磁石１１の数は、１１個以下であっても良いし、１３個以上であっても良い。
【００３２】
円筒部１０は、樹脂で形成されている。円筒部１０の軸心は、レンズ２の光軸Ｌと一致している。円筒部１０の外周面には、レンズユニット１をカメラ本体４に取り付けるためのバヨネット爪（図示省略）が形成されている。磁石保持部材１２は、樹脂で形成されている。また、磁石保持部材１２は、円環状に形成されている。磁石保持部材１２は、磁石保持部材１２の軸心とレンズ２の光軸Ｌとが一致するように、円筒部１０の後端部の内周側に配置されている。磁石保持部材１２の後端部は、１２個の磁石１１が固定される円環状の磁石固定部１２ａとなっている。磁石固定部１２ａの後面は、前後方向に直交する平面となっている。なお、円筒部１０および磁石保持部材１２は、樹脂以外の非磁性材料で形成されていても良い。たとえば、円筒部１０および磁石保持部材１２は、アルミ合金等の非磁性の金属材料で形成されていても良いし、樹脂以外の非金属材料で形成されていても良いし、無機化合物からなるセラミックで形成されていても良い。
【００３３】
磁石保持部材１２の後端の外周（径方向の外側端）には、径方向（すなわち、光軸Ｌに直交する方向）でレンズ鏡筒６に対してアタッチメント７を位置決めするための当接面１２ｂが形成されている。前後方向（光軸方向）から見たときの当接面１２ｂの形状は、光軸Ｌを曲率中心とする円環状となっている。すなわち、当接面１２ｂは、周方向の全域に形成されている。当接面１２ｂは、前後方向（光軸方向）に対して傾斜する傾斜面となっている。具体的には、当接面１２ｂは、径方向の外側に向かうにしたがって前側に向かうように傾斜する傾斜面となっている。前後方向に対する当接面１２ｂの傾斜角度θ１（図４（Ｂ）参照）は、たとえば、４５°となっている。本形態の当接面１２ｂは、第１当接部である。なお、傾斜角度θ１は小さ過ぎると（光軸方向に対して寝かせ過ぎると）、当接面１２ｂによる前後方向（光軸方向）に対するズレの調整ができなくなる。一方、傾斜角度θ１が大き過ぎると（光軸方向に対して立ち過ぎると）、後述するアタッチメント７側の当接部１５ｂと当接面１２ｂとの接触圧が大きくなるおそれがある。
【００３４】
上述のように、磁石１１は、永久磁石である。磁石１１は、たとえば、円板状に形成されている。図５に示すように、１２個の磁石１１は、前後方向（光軸方向）から見たときに、レンズ２の光軸Ｌを中心とする円環状に、かつ、レンズ２の光軸Ｌを中心にして等角度ピッチで配置されている。すなわち、１２個の磁石１１は、前後方向から見たときに光軸Ｌを中心にして３０°ピッチで磁石固定部１２ａに固定されている。
【００３５】
磁石固定部１２ａには、周方向（すなわち、光軸Ｌ回りの方向）でレンズ鏡筒６に対してアタッチメント７を位置決めするための凹部１２ｃが形成されている。図５に示すように、凹部１２ｃは、磁石固定部１２ａの内周面から径方向の外側に向かって窪むように形成されており、前後方向で磁石固定部１２ａを貫通している。前後方向（光軸方向）から見たときの凹部１２ｃの形状は、レンズ２の光軸Ｌを曲率中心とする円弧状となっている。凹部１２ｃは、周方向で隣り合う２個の磁石１１の間に形成されている。そのため、前後方向から見たときに、円弧状に形成される凹部１２ｃの光軸Ｌに対する中心角θ５（図５（Ａ）参照）は、光軸Ｌに対する１２個の磁石１１の配置ピッチの角度θ６（図５（Ａ）参照）よりも小さくなっている。すなわち、中心角θ５は、３０°よりも小さくなっている。本形態の凹部１２ｃは、第１位置決め部である。
【００３６】
アタッチメント７は、上述の光学フィルタ８に加えて、光学フィルタ８を保持するフィルタ保持部材１５と、レンズ鏡筒６の後端部にアタッチメント７を取り付けるための磁石１６とを備えている。光学フィルタ８は、たとえば、ＮＤフィルタ、ローパスフィルタまたはＩＲカットフィルタ等の各種のフィルタである。磁石１６は、永久磁石である。また、磁石１６は、磁石１１と同様に、たとえば、比較的磁力の強い希土類磁石であり、具体的には、ネオジム磁石である。本形態のアタッチメント７は、複数の磁石１６を備えている。具体的には、アタッチメント７は、磁石１１と同数の磁石１６（すなわち、１２個の磁石１６）を備えている。フィルタ保持部材１５は、光学フィルタ８に加えて、１２個の磁石１６を保持している。本形態の磁石１６は、第２磁石である。
【００３７】
フィルタ保持部材１５は、樹脂で形成されている。また、フィルタ保持部材１５は、円環状の鍔部１５ａを有する鍔付きの扁平な円筒状に形成されている。アタッチメント７は、フィルタ保持部材１５の軸心とレンズ２の光軸Ｌとが一致するようにレンズ鏡筒６に取り付けられており、フィルタ保持部材１５の内周側を撮影光線が通過する。鍔部１５ａは、フィルタ保持部材１５の前端に形成されている。なお、フィルタ保持部材１５は、樹脂以外の非磁性材料で形成されていても良い。たとえば、フィルタ保持部材１５は、アルミ合金等の非磁性の金属材料で形成されていても良いし、樹脂以外の非金属材料で形成されていても良いし、無機化合物からなるセラミックで形成されていても良い。
【００３８】
鍔部１５ａの前端部の内周面には、径方向（すなわち、光軸Ｌに直交する方向）でレンズ鏡筒６に対してアタッチメント７を位置決めするための当接面１５ｂが形成されている。前後方向（光軸方向）から見たときの当接面１５ｂの形状は、光軸Ｌを曲率中心とする円環状となっている。当接面１５ｂは、前後方向（光軸方向）に対して傾斜する傾斜面となっている。具体的には、当接面１５ｂは、径方向の外側に向かうにしたがって前側に向かうように傾斜する傾斜面となっている。前後方向に対する当接面１５ｂの傾斜角度θ２（図４（Ｂ）参照）は、当接面１２ｂの傾斜角度θ１と等しくなっている。アタッチメント７をレンズ鏡筒６へ装着した際に、錯角の関係を有する傾斜角度θ１と傾斜角度θ２とを等しくすることによって、当接面１２ｂと当接面１５ｂとが平行になる。これにより当接面１２ｂと当接面１５ｂとが全周に亘って面で当接し、よって、より安定した当接状態を実現することが可能となる。また、当接面１２ｂおよび当接面１５ｂがともに光軸Ｌを曲率中心とする円環状の傾斜面であるため、上記の安定した当接状態となった場合、当接面１２ｂと当接面１５ｂとの曲率中心が一致するため、位置合わせを適切に行うことが可能となる。
【００３９】
レンズ鏡筒６にアタッチメント７が取り付けられている状態では、図４（Ｃ）に示すように、当接面１５ｂは、当接面１２ｂに接触している。また、当接面１２ｂと当接面１５ｂとが接触することで、径方向でレンズ鏡筒６に対してアタッチメント７が位置決めされている。本形態の当接面１５ｂは、第２当接部である。なお、レンズ鏡筒６にアタッチメント７が取り付けられている状態では、円筒部１０の内周面と鍔部１５ａの外周面との間に隙間Ｓ１が形成されている（図４（Ｃ）参照）。隙間Ｓ１を形成することで、アタッチメント７と円筒部１０との接触を抑制して、当接部１２ｂと当接面１５ｂとの当接に対して影響を及ぼすことを避けることができる。
【００４０】
フィルタ保持部材１５の、当接面１５ｂが形成された部分の後ろ側部分は、１２個の磁石１６が固定される円環状の磁石固定部１５ｃとなっている。磁石固定部１５ｃの前面は、前後方向に直交する平面となっている。上述のように、磁石１６は、永久磁石である。磁石１６は、たとえば、磁石１１と同形状に形成されている。磁石１１と磁石１６とが同形状であれば、磁石１１、１６同士の対向状態の変化と磁気吸引力の変化がリニアの関係で変化するため、アタッチメント７とレンズ鏡筒６との光軸Ｌに対する周方向の位置決めを容易に行うことが可能になる。
【００４１】
図５に示すように、１２個の磁石１６は、１２個の磁石１１と同様に、前後方向（光軸方向）から見たときに、レンズ２の光軸Ｌを中心とする円環状に、かつ、レンズ２の光軸Ｌを中心にして等角度ピッチで配置されている。すなわち、１２個の磁石１６は、前後方向から見たときに光軸Ｌを中心にして３０°ピッチで磁石固定部１５ｃに固定されている。また、前後方向から見たときに、径方向における光軸Ｌと磁石１１との距離と、径方向における光軸Ｌと磁石１６との距離とが等しくなっている。ただし、前後方向から見たときに、径方向における光軸Ｌと磁石１１との距離と、径方向における光軸Ｌと磁石１６との距離とが若干異なっていても良い。また、磁石１１、磁石１６は、光軸Ｌに対して対称となる位置に配置されていることが望ましい。磁石１１、１６が光軸Ｌに対して対称に配置される場合、磁気吸引力によるレンズ鏡筒６に対するアタッチメント７の結合力が、磁石固定部１２ａと磁石固定部１５ｃとの間で光軸Ｌに対して対称に発生する。そのため、フィルタ保持部材１５は、フィルタ保持部材１５の軸心が光軸Ｌに一致し易いようにレンズ鏡筒６側に吸引される。
【００４２】
本形態では、１２個の磁石１１のそれぞれに１２個の磁石１６のそれぞれが吸引されることで、レンズ鏡筒６にアタッチメント７が取り付けられる。なお、レンズ鏡筒６にアタッチメント７が取り付けられているときには、当接面１２ｂと当接面１５ｂとが全周に亘って確実に接触するように、磁石固定部１２ａの後面と磁石固定部１５ｃの前面とは軽く接触しているか、あるいは、磁石固定部１２ａの後面と磁石固定部１５ｃの前面との間にわずかな隙間Ｓ２が形成されている（図４（Ｃ）参照）。また、レンズ鏡筒６にアタッチメント７が取り付けられているときには、当接面１２ｂと当接面１５ｂとが確実に接触するように、磁石１１と磁石１６とは軽く接触しているか、あるいは、磁石１１と磁石１６との間にわずかな隙間が形成されている。隙間Ｓ２を形成することで、磁石固定部１２ａと磁石固定部１５ｃとの干渉することを防止することができるため、当接面１２ｂと当接面１５ｂとの当接が阻害されることがなくなる。結果として、当接面１２ｂと当接面１５ｂとを確実に当接させることができる。これにより、アタッチメント７の軸心とレンズ鏡筒６の光軸Ｌとが一致するようにレンズ鏡筒６に対するアタッチメント７の位置決めを確実に行うことができる。
【００４３】
磁石固定部１５ｃには、レンズ鏡筒６の凹部１２ｃに嵌る凸部１５ｄが形成されている。凸部１５ｄは、略円柱状に形成されている。凸部１５ｄは、磁石固定部１５ｃの前面から前側へ突出している。すなわち、凸部１５ｄは、光軸方向に突出している。また、凸部１５ｄは、周方向で隣り合う２個の磁石１６の間に形成されている。凸部１５ｄの外径は、凹部１２ｃの径方向の幅とほぼ等しくなっている（図５参照）。なお、凸部１５ｄは磁石固定部１５ｃと一体で形成されていても良いし、磁石固定部１５ｃと別体で形成された凸部１５ｄが磁石固定部１５ｃに固定されていても良い。
【００４４】
また、凸部１５ｄの光軸方向の長さは、凸部１５ｄが凹部１２ｃに嵌っている状態でレンズ鏡筒６に対してアタッチメント７を周方向に回転させた際に、凸部１５ｄが凹部１２ｃから容易に外れない程度の長さであれば良い。また、凸部１５ｄの長さを次のように設定しても良い。すなわち、凸部１５ｄが凹部１２ｃに嵌らず、凸部１５ｄと磁石固定部１２ａとが干渉した場合には、磁石１１と磁石１６との間に凸部１５ｄの長さに応じた隙間が形成される。この隙間が広くなるほど、磁石１１と磁石１６との間の磁気的吸引力は弱くなる。そこで、凸部１５ｄと磁石固定部１２ａとが干渉した場合に、磁石１１と磁石１６との間の磁気的吸引力が、アタッチメント７をレンズ鏡筒６に装着できない強さまで弱まる隙間となるように、凸部１５ｄの長さを設定する。凸部１５ｄの長さをこのように設定すると、凸部１５ｄが凹部１２ｃに嵌らない限り、レンズ鏡筒６に対してアタッチメント７を装着できなくなる。そのため、アタッチメント７が正しく装着されていない状態のレンズ鏡筒６がカメラ本体４に装着されてしまうことを防止できる。
【００４５】
レンズ鏡筒６の正しい位置にアタッチメント７が取り付けられているときには、凸部１５ｄは、たとえば、図５（Ａ）に示すように、凹部１２ｃの、図５における時計回りの方向端に配置されている。上述のように、凹部１２ｃの光軸Ｌに対する中心角θ５は、光軸Ｌに対する１２個の磁石１１の配置ピッチの角度θ６よりも小さくなっているため、周方向において正しい位置にアタッチメント７が配置されていないと、凸部１５ｄが凹部１２ｃに嵌らずに磁石固定部１２ａの後面に接触して、レンズ鏡筒６にアタッチメント７を取り付けることができない。すなわち、本形態では、凹部１２ｃと凸部１５ｄとによって、周方向（光軸Ｌ回りの方向）においてレンズ鏡筒６に対してアタッチメント７が位置決めされており、レンズ鏡筒６に対して正しい位置のみにアタッチメント７を取り付けることが可能となっている。本形態の凸部１５ｄは、第１位置決め部である凹部１２ｃとともに光軸Ｌ回りの方向でレンズ鏡筒６に対してアタッチメント７を位置決めするための第２位置決め部である。
【００４６】
なお、レンズ鏡筒６に取り付けられたアタッチメント７をレンズ鏡筒６から取り外すときには、図５（Ｂ）に示すように、磁石１１と磁石１６との間の磁気的吸引力が弱まるように、レンズ鏡筒６に対してアタッチメント７を図５の反時計回りの方向（以下、この方向を「反時計方向」とする）に回動させる。本形態では、凹部１２ｃの光軸Ｌに対する中心角θ５は、レンズ鏡筒６に取り付けられたアタッチメント７を反時計方向に回動させたときに、前後方向から見て、磁石１１と磁石１６とが完全に重ならない角度に設定されている。たとえば、図５（Ｂ）に示すように、凹部１２ｃの反時計方向端に凸部１５ｄが配置されるまでアタッチメント７を反時計方向に回動させたときに、前後方向から見て、周方向で隣り合う磁石１１の略中心に磁石１６が配置されるように、中心角θ５は設定されている。
【００４７】
磁石１６が周方向で隣り合う磁石１１の略中心に配置される場合、周方向で隣り合う２個の磁石１１のそれぞれと磁石１６との間に発生する磁気的吸引力は略等しくなる。また、周方向で隣り合う２個の磁石１１のそれぞれと磁石１６との間に発生する磁気的吸引力は略等しくなると、磁石１６に作用する磁石１１の磁気吸引力の合計は最も弱くなる。そのため、鏡筒６からアタッチメント７を容易に取り外すことが可能となる。ただし、レンズ鏡筒６からアタッチメント７を無理なく取り外せる程度まで磁石１１と磁石１６との間に発生する磁気吸引力が弱くなればよいので、磁石１１と磁石１６との間に発生する磁気吸引力の強さに応じて中心角θ５は適宜調節することが可能である。たとえば、中心角θ５は、レンズ鏡筒６に取り付けられたアタッチメント７を反時計方向に回動させたときに、前後方向から見て、磁石１１と磁石１６とがわずかに重なる角度に設定されていても良い。なお、磁石１６が周方向で隣り合う磁石１１の略中心に配置される場合、アタッチメント７をレンズ鏡筒６に装着する際に、アタッチメント７を時計回りの方向（時計方向）にわずかに回動させると、時計方向側に配置される磁石１１と磁石１６との間で作用する磁気的吸引力が、反時計方向側に配置される磁石１１と磁石１６との間で作用する磁気的吸引力に比べて強くなる。そのため、凸部１５ｄが、時計方向端に配置される図５（Ａ）に示す位置に、アタッチメント７を回転させやすくなる。
【００４８】
（本形態の主な効果）
以上説明したように、本形態のレンズユニット１は、レンズ２を保持するレンズ鏡筒６と、レンズ２の光軸方向におけるレンズ鏡筒６の端部に着脱可能に取り付けられるアタッチメント７とを備えている。また、レンズ鏡筒６は、レンズ鏡筒６の端部にアタッチメント７を取り付けるための永久磁石である磁石１１を備え、アタッチメント７は、磁石１１に吸引される永久磁石である磁石１６を備えている。さらに、レンズ鏡筒６には、レンズ２の光軸方向に直交する方向でレンズ鏡筒６に対してアタッチメント７を位置決めするための当接面１２ｂが形成され、当接面１２ｂは、レンズ２の光軸方向に対して傾斜する傾斜面となっている。また、アタッチメント７には、当接面１２ｂに接触する当接面１５ｂが形成されている。
【００４９】
このように本形態では、レンズ鏡筒６は、レンズ鏡筒６の端部にアタッチメント７を取り付けるための磁石１１を備え、アタッチメント７は、磁石１１に吸引される磁石１６を備えている。すなわち、本形態では、磁気的吸引力によってレンズ鏡筒６にアタッチメント７が取り付けられている。そのため、本形態では、レンズ鏡筒６にアタッチメント７を容易に着脱することが可能になる。
【００５０】
また、本形態では、レンズ鏡筒６に、レンズ２の光軸方向に直交する方向でレンズ鏡筒６に対してアタッチメント７を位置決めするための当接面１２ｂが形成され、アタッチメント７に、当接面１２ｂに接触する当接面１５ｂが形成されている。そのため、本形態では、磁気的吸引力によってレンズ鏡筒６にアタッチメント７が取り付けられていても、互いに接触する当接面１２ｂと当接面１５ｂとを用いて、レンズ２の光軸方向に直交する方向でレンズ鏡筒６に対してアタッチメント７を精度良く取り付けることが可能になる。
【００５１】
さらに、本形態では、当接面１２ｂがレンズ２の光軸方向に対して傾斜する傾斜面となっている。そのため、本形態では、たとえば、レンズ鏡筒６に、レンズ２の光軸方向に平行な外周面を有する第１の円筒部が形成され、アタッチメント７に、レンズ２の光軸方向に平行な内周面を有する第２の円筒部が形成されるとともに、第１の円筒部の外周面と第２の円筒部の内周面とによって、レンズ２の光軸方向に直交する方向でレンズ鏡筒６に対してアタッチメント７が位置決めされている場合と比較して、レンズ鏡筒６にアタッチメント７を容易に着脱することが可能になる。
【００５２】
すなわち、第１の円筒部の外周面と第２の円筒部の内周面とによって、レンズ２の光軸方向に直交する方向でレンズ鏡筒６に対してアタッチメント７が位置決めされている場合、レンズ鏡筒６にアタッチメント７を着脱するときに、レンズ２の光軸方向に対してアタッチメント７が傾くと、第１の円筒部の外周面と第２の円筒部の内周面との接触圧が局部的に高くなり、第１の円筒部の外周面と第２の円筒部の内周面とにかじりが生じやすくなる。このようなかじりが生じると、レンズ鏡筒６へのアタッチメント７の着脱が困難になるため、レンズ鏡筒６にアタッチメント７を着脱するときに、レンズ２の光軸方向に対してアタッチメント７が傾かないように注意しなければならない。これに対して、本形態では、当接面１２ｂがレンズ２の光軸方向に対して傾斜する傾斜面となっているため、レンズ鏡筒６にアタッチメント７を着脱するときに、レンズ２の光軸方向に対してアタッチメント７が傾いても、当接面１２ｂと当接面１５ｂとのかじりの発生を防止することが可能になる。つまり、レンズ２の光軸方向に対してアタッチメント７が傾いた状態でレンズ鏡筒６へ取り付けられたとしても、当接部１２ｂが当接部１５ｂに対して傾斜面として接触するため、当接部１２ｂと当接部１５ｂとのかじりの発生を防止することが可能となり、その結果、当接面１２ｂと当接面１５ｂとの接触圧が局部的に高まることを防止することが可能になる。したがって、本形態では、レンズ鏡筒６にアタッチメント７を着脱するときに、レンズ２の光軸方向に対してアタッチメント７が傾かないように注意する必要がなくなり、その結果、レンズ鏡筒６にアタッチメント７を容易に着脱することが可能になる。
【００５３】
本形態のように、当接面１５ｂは、レンズ２の光軸方向に対して傾斜するとともに当接面１２ｂに接触する傾斜面であることが好ましい。このようにすると、当接面１２ｂと当接面１５ｂとの接触面積を広くすることが可能になる。したがって、当接面１２ｂと当接面１５ｂとの接触状態を安定させることが可能になる。
【００５４】
本形態のように、レンズ鏡筒６は、レンズ２の光軸方向から見たときに、レンズ２の光軸Ｌを中心とする円環状に、かつ、レンズ２の光軸Ｌを中心にして等角度ピッチで配置される複数の磁石１１を備え、アタッチメント７は、レンズ２の光軸方向から見たときに、レンズ２の光軸Ｌを中心とする円環状に、かつ、レンズ２の光軸Ｌを中心にして等角度ピッチで配置される磁石１１と同数の磁石１６を備えていることが好ましい。このようにすると、複数の磁石１１と複数の磁石１６とを用いて、レンズ鏡筒６へのアタッチメント７の取付強度を高めることが可能になる。
【００５５】
本形態のように、レンズ２の光軸方向から見たときの当接面１２ｂの形状は、レンズ２の光軸Ｌを曲率中心とする円環状となっていることが好ましい。このようにすると、レンズ鏡筒６に取り付けられたアタッチメント７を当接面１２ｂを利用してレンズ２の光軸Ｌを中心に回動させることで、磁石１１と磁石１６との間の磁気的吸引力を弱めることが可能になる。したがって、磁石１１と磁石１６との間の磁気的吸引力が比較的強くなっていても、レンズ鏡筒６からアタッチメント７を容易に取り外すことが可能になる。また、このようにすると、当接面１２ｂが円弧状に形成されている場合と比較して、レンズ鏡筒６に当接面１２ｂを加工しやすくなる。なぜなら、当接面１２ｂを全周に亘って単一の平面で作成することができるためである。つまり、レンズ鏡筒６の当接面１２ｂを有する部分を成形する際に、当該部分が切削加工による成形でも金型による成型でも、凹凸部が多い程、当該部分の形状の形成に必要な工作に掛かる手間と時間が増え、加工難易度は増大する。そのため、当接面１２ｂをシンプルな円環状に形成することにより、加工の難易度、コスト、所要時間を抑制することが可能となり、よって、加工しやすくなる。
【００５６】
本形態のように、レンズ鏡筒６に、レンズ２の光軸Ｌ回りの方向でレンズ鏡筒６に対してアタッチメント７を位置決めするための凹部１２ｃが形成され、アタッチメント７に、凹部１２ｃとともにレンズ２の光軸Ｌ回りの方向でレンズ鏡筒６に対してアタッチメント７を位置決めするための凸部１５ｄが形成されていることが好ましい。このようにすると、レンズ鏡筒６において、レンズ２の光軸方向から見たときにレンズ２の光軸Ｌを中心とする円環状にかつレンズ２の光軸Ｌを中心にして等角度ピッチで複数の磁石１１が配置され、アタッチメント７において、レンズ２の光軸方向から見たときにレンズ２の光軸Ｌを中心とする円環状にかつレンズ２の光軸Ｌを中心にして等角度ピッチで複数の磁石１６が配置されていても、凹部１２ｃと凸部１５ｄとを用いて、レンズ鏡筒６に対して正しい位置にアタッチメント７を取り付けることが可能になる。
【００５７】
本形態のように、レンズ２の光軸方向から見たときの凹部１２ｃの形状は、レンズ２の光軸Ｌを曲率中心とする円弧状となっており、レンズ２の光軸方向から見たときに、円弧状に形成される凹部１２ｃのレンズ２の光軸Ｌに対する中心角θ５は、レンズ２の光軸Ｌに対する複数の磁石１１の配置ピッチの角度θ６よりも小さくなっていることが好ましい。このようにすると、凹部１２ｃと凸部１５ｄとを用いて、レンズ鏡筒６に対して正しい位置のみにアタッチメント７を取り付けることが可能になっていても、レンズ鏡筒６に取り付けられたアタッチメント７をレンズ２の光軸Ｌを中心に回動させて、磁石１１と磁石１６との間の磁気的吸引力を弱めることが可能になる。したがって、凹部１２ｃと凸部１５ｄとを用いて、レンズ鏡筒６に対して正しい位置のみにアタッチメント７を取り付けることが可能になっていても、また、磁石１１と磁石１６との間の磁気的吸引力が比較的強くなっていても、レンズ鏡筒６からアタッチメント７を容易に取り外すことが可能になる。
【００５８】
本形態のように、アタッチメント７は、磁石１６を備えていることが好ましい。このようにすると、磁石１１と磁石１６との間の磁気的吸引力によってレンズ鏡筒６にアタッチメント７を取り付けることができるため、磁石１１に吸引される軟磁性体をアタッチメント７が備えている場合と比較して、レンズ鏡筒６へのアタッチメント７の取付強度を高めることが可能になる。
【００５９】
（他の実施の形態）
上述した形態において、レンズ鏡筒６は、磁石１１に代えて、磁石１６に吸引される軟磁性体を備えていても良い。レンズ鏡筒６が磁石１１を備えている場合、万が一、磁石１１に砂鉄等の粉末状の磁性体が付着すると、最悪、高価なレンズ鏡筒６が使用できなくなるおそれがあるが、レンズ鏡筒６が軟磁性体を備えている場合には、粉末状の磁性体の付着に起因して、高価なレンズ鏡筒６が使用できなくなるといった事態を回避することが可能になる。また、上述した形態において、アタッチメント７は、磁石１６に代えて、磁石１１に吸引される軟磁性体を備えていても良い。なお、レンズ鏡筒６が、磁石１１に代えて軟磁性体を備えている場合には、アタッチメント７が備える磁石１６が第１磁石となっている。
【００６０】
上述した形態において、当接面１２ｂに代えて、磁石保持部材１２の後端の内周側に、光軸Ｌに直交する方向でレンズ鏡筒６に対してアタッチメント７を位置決めするための当接面が形成されていても良い。この場合、この当接面は、径方向の外側に向かうにしたがって後ろ側に向かうように傾斜する傾斜面となっている。また、この場合には、この当接面に面で接触する当接面がアタッチメント７に形成されている。
【００６１】
上述した形態において、前後方向（光軸方向）から見たときの形状が光軸Ｌを曲率中心とする円弧状となる複数または１個の傾斜面によって、当接面１２ｂに接触する当接面１５ｂが構成されていても良い。同様に、上述した形態において、前後方向から見たときの形状が光軸Ｌを曲率中心とする円弧状となる複数または１個の傾斜面によって、当接面１５ｂに接触する当接面１２ｂが構成されていても良い。また、上述した形態において、当接面１２ｂ、１５ｂは、前後方向から見たときの形状が光軸Ｌからずれた位置を曲率中心とする円弧状となる複数または１個の傾斜面によって構成されていても良いし、前後方向から見たときの形状が直線状となる複数の傾斜面によって構成されていても良い。
【００６２】
上述した形態において、当接面１２ｂに点接触または線接触する突起等がアタッチメント７に形成されていても良い。この場合、当接面１２ｂに点接触または線接触する突起等は第２当接部である。また、上述した形態において、当接面１５ｂに点接触または線接触する突起等がレンズ鏡筒６に形成されていても良い。この場合、当接面１５ｂは第１当接部であり、当接面１５ｂに点接触または線接触する突起等は第２当接部である。
【００６３】
上述した形態において、凹部１２ｃは、凸部１５ｄが嵌る丸穴状に形成されていても良い。また、上述した形態において、凹部１２ｃに相当する凹部がアタッチメント７に形成され、凸部１５ｄに相当する凸部がレンズ鏡筒６に形成されていても良い。さらに、上述した形態において、周方向（すなわち、光軸Ｌ回りの方向）でレンズ鏡筒６に対してアタッチメント７を位置決めするためのマーキングが円筒部１０の外周面およびフィルタ保持部材１５の外周面に形成されていても良い。すなわち、光軸Ｌ回りの方向でレンズ鏡筒６に対してアタッチメント７を位置決めするための第１位置決め部および第２位置決め部は、円筒部１０の外周面およびフィルタ保持部材１５の外周面に形成されるマーキングであっても良い。この場合には、凹部１２ｃおよび凸部１５ｄが不要になる。
【００６４】
上述した形態において、アタッチメント７は、フィルタ部品以外のものであっても良い。たとえば、アタッチメント７は、レンズ鏡筒６の内部やカメラ本体４の内部での光の反射を抑制するためのフレアカッターであっても良いし、光量を調整するための絞り機構であっても良いし、付加レンズを有するレンズ部品であっても良い。また、アタッチメント７は、レンズキャップであっても良い。アタッチメント７がレンズキャップである場合には、交換レンズであるレンズユニット１がカメラ本体４に取り付けられる前にアタッチメント７がレンズ鏡筒６から取り外される。
【００６５】
上述した形態では、アタッチメント７は、レンズ鏡筒６の後端部に着脱可能に取り付けられているが、アタッチメント７は、レンズ鏡筒６の前端部（レンズ鏡筒６の被写体側の端部）に着脱可能に取り付けられていても良い。この場合には、レンズユニット１は交換レンズでなくても良い。すなわち、レンズユニット１はカメラ本体４に固定されていても良い。また、アタッチメント７がレンズ鏡筒６の前端部に着脱可能に取り付けられる場合には、アタッチメント７は、たとえば、レンズ２を保護するための保護ガラスを備える保護部品であっても良い。
【００６６】
上述した形態では、磁石１１および磁石１６は、前後方向（光軸方向）から見たときに、レンズ２の光軸Ｌを中心とする円環状に、かつ、レンズ２の光軸Ｌを中心にして等角度の配置ピッチで配置されているが、磁石１１および磁石１６の一部または全ての配置ピッチの角度を変更することも可能である。このような場合、配置ピッチが最も大きな角度で配置される磁石１１の間に凹部１２ｃを配置しても良い。
【符号の説明】
【００６７】
１  レンズユニット
２  レンズ
６  レンズ鏡筒
７  アタッチメント
８  光学フィルタ
１１  磁石（第１磁石）
１２ｂ  当接面（第１当接部）
１２ｃ  凹部（第１位置決め部）
１５ｂ  当接面（第２当接部）
１５ｄ  凸部（第２位置決め部）
１６  磁石（第２磁石）
Ｌ  レンズの光軸
θ５  凹部のレンズの光軸に対する中心角
θ６  レンズの光軸に対する複数の第１磁石の配置ピッチの角度
Ｚ２  反被写体側
【図１】
2019105704.tif 000003
【図２】
2019105704.tif 000004
【図３】
2019105704.tif 000005
【図４】
2019105704.tif 000006
【図５】
2019105704.tif 000007